(57)【要約】【課題】上下方向から力が加わっても、内部の電子部品がショートしにくい電子機器、及びこれを用いた表示装置を提供する。【解決手段】導電性を有するフレーム１１と、シグナルグラウンドが設けられ、シグナルグラウンドに隣接して電子部品２が実装された回路基板４と、シグナルグラウンド上に配置され、シグナルグラウンドとフレーム１１とを電気的に接続する、錐体状の第１接続部材１と、を備え、第１接続部材１は、錐体状の絶縁体に導電性布が設けられることにより構成されている。【選択図】図３
2014220432.tif 000002
【特許請求の範囲】
【請求項１】
フレームと、
シグナルグラウンドが設けられ、当該シグナルグラウンドに近接して電子部品が実装された回路基板と、
錐体状の絶縁体の表面に導電性布を貼り付けることにより構成され、且つ、前記シグナルグラウンド上に配置され、当該シグナルグラウンドと前記フレームとを電気的に接続する第１接続部材と、を備える
電子機器。
【請求項２】
前記第１接続部材は、前記フレームに接する上面、前記シグナルグラウンドに接する底面、及び４つの側面を有する四角錐台である
請求項１に記載の電子機器。
【請求項３】
前記第１接続部材では、前記各側面のうち、前記四角錐台が前記シグナルグラウンド上に配置されたときに前記電子部品側となる側面である、電子部品側側面には、前記導電性布が貼り付けられている
請求項２に記載の電子機器。
【請求項４】
前記電子部品側側面の全面に、前記導電性布が貼り付けられている
請求項２又は３に記載の電子機器。
【請求項５】
前記電子部品側側面のうち両端を除く部分に、前記導電性布が貼り付けられている
請求項２又は３に記載の電子機器。
【請求項６】
電子部品側側面には、前記四角錐台の上面と前記電子部品側側面との間の辺の長さと同じ幅の前記導電性布が貼り付けられている
請求項５に記載の電子機器。
【請求項７】
前記第１接続部材は、当該第１接続部材の底面が前記シグナルグラウンドと接触する一方で、当該第１接続部材の頂部が前記フレームと接触するように配置されている
請求項１〜６のいずれか１項に記載の電子機器。
【請求項８】
フレームと、
シグナルグラウンドが設けられ、当該シグナルグラウンドに近接して電子部品が実装された回路基板と、
四角錐台状の導電性を有する第１接続部材であって、前記シグナルグラウンド上に配置される第１接続部材と、
前記第１接続部材の上面に載置され、導電性を有する第２接続部材と、を備え、
前記第１接続部材及び前記第２接続部材は、前記シグナルグラウンドと前記フレームとを電気的に接続する
電子機器。
【請求項９】
前記第１接続部材は、弾性を有する
請求項１〜８のいずれか１項に記載の電子機器。
【請求項１０】
前記第１接続部材及び前記第２接続部材は弾性を有しており、
前記第１接続部材の弾性率は、前記第２接続部材の弾性率よりも小さい
請求項８に記載の電子機器。
【請求項１１】
請求項１〜１０のいずれか１項に記載の電子機器と、
表示パネルと、を備え、
前記フレームは、前記表示パネルの外枠に沿って設けられ、当該表示パネルの前記外枠を保護するベゼルである
表示装置。
【請求項１２】
前記表示パネルは液晶パネルである
請求項１１に記載の表示装置。
【発明の詳細な説明】
【技術分野】
【０００１】
本発明は、電子機器、及びこれを用いた表示装置に関する。
【背景技術】
【０００２】
従来、電子機器を静電気放電や電磁放電から守るために、電子機器には接地が施されている。例えば、電子機器に接地を施すために、特許文献１に示すような電磁シールド用ガスケットが用いられている。
【０００３】
図８は、液晶ディスプレイ装置の正面図である。図９は、図８のＢ−Ｂ線断面図である。なお、図８及び図９において、Ｘ軸は、液晶ディスプレイ装置の右方向を表し、Ｙ軸は液晶ディスプレイ装置の奥行き方向を表し、Ｚ軸は液晶ディスプレイ装置の上方向を表している。
【０００４】
図９に示すように、液晶ディスプレイ装置１０００では、ベゼル１１と、モールドフレーム１４と、リアフレーム１７とはネジ５によって接合されている。
【０００５】
ベゼル１１とリアフレーム１７との間にはモールドフレーム１４が配置されている。モールドフレーム１４は、液晶パネル１３を支持する。
【０００６】
モールドフレーム１４の上には、回路基板４が配置されている。この回路基板４には、液晶パネル１３を作動させるための電子部品２が実装されている。液晶パネル１３からは、液晶パネル１３のドライバとしての機能を有するＣＯＦ（Chip On Film）３が導出されており、当該ＣＯＦ３は回路基板４の導体に接続される。
【０００７】
そして、電子装置１０００の静電気対策及び電磁放電対策のため、リアフレーム１７が接地されており、回路基板４のシグナルグラウンドとベゼル１１との間に、導電性を有するガスケット１００が挟まれている。これにより、リアフレーム１７、ネジ５、ベゼル１１、及び、回路基板４のシグナルグラウンドがゼロ電位となるので、液晶ディスプレイ装置１０００を静電気放電や電磁放電から守ることができる。
【０００８】
図１０Ａは従来のガスケット１００の外観を表す外観図である。図１０Ｂは従来のガスケット１００の表面を展開した表面展開図である。
【０００９】
図１０Ａに示すように、ガスケット１００は直方体形状をしている。このようなガスケット１００を製造するには、作業者は、直方体形状の絶縁体に、その底面６００と、上面６０１と、側面６０２Ａ及び６０２Ｃと、を覆うように、導電性布２００を巻きつけて貼り付ける（図１０Ｂ参照）。なお、図１０Ｂにおいてハッチングが施された部分は、導電性布２が貼り付けられた部分を表す。これにより、ガスケット１００が完成する。
【００１０】
ガスケット１００は、その短手方向が、液晶ディスプレイ装置１０００の奥行き方向と平行となるように配置される（図９参照）。これにより、ガスケット１００は、その長手方向がＸ軸方向と平行に配置されるから、導電性布２００を貼り付けている側面６０２Ａ或いは６０２Ｃが、電子部品２と対向する。
【先行技術文献】
【特許文献】
【００１１】
【特許文献１】特開２００９−２１５２１号公報
【発明の概要】
【発明が解決しようとする課題】
【００１２】
ところが、ガスケット１００を図９のように配置した際には、ベゼル１１に下方向の力がかかったときや、リアフレーム１７に上方向の力がかかったときには、ガスケット１００は、ベゼル１１と回路基板４とによって圧縮されるので、水平方向及び奥行き方向に変形しやすい。
【００１３】
この圧縮によって、もし、ガスケット１００の導電性布２００と電子部品２とが接触した場合、電子部品２は、ゼロ電位の導電性布２００と接触した状態となるから、電子部品２がショートするおそれがある。
【００１４】
本発明は、上述の課題を解決するためになされたものであり、上下方向から力が加わっても、内部の電子部品がショートしにくい電子機器、及びこれを用いた表示装置を提供することを目的とする。
【課題を解決するための手段】
【００１５】
上記目的を達成するために、本発明の一態様に係る電子機器は、フレームと、シグナルグラウンドが設けられ、当該シグナルグラウンドに近接して電子部品が実装された回路基板と、錐体状の絶縁体の表面に導電性布を貼り付けることにより構成され、且つ、前記シグナルグラウンド上に配置され、当該シグナルグラウンドと前記フレームとを電気的に接続する第１接続部材と、を備える。
【００１６】
この構成によると、錐体状の絶縁体に導電性布が貼り付けられた第１接続部材が、シグナルグラウンドとフレームとの間に介在して、両者を電気的に接続している。
【００１７】
これにより、第１接続部材に上下方向から力がかかっても、第１接続部材が直方体形状の場合よりも、第１接続部材が水平方向に変形する度合いを小さくすることができる。その結果、第１接続部材と、当該第１接続部材の近くの電子部品とが接触することを抑制することができる。
【００１８】
よって、上下方向から力が加わっても、内部の電子部品がショートしにくい電子機器を提供することができる。
【００１９】
例えば、前記第１接続部材は、前記フレームに接する上面、前記シグナルグラウンドに接する底面、及び４つの側面を有する四角錐台であってもよい。
【００２０】
この構成によると、第１接続部材は、フレームに接する上面、シグナルグラウンドに接する底面、及び４つの側面を有する四角錐台であるので、第１接続部材に、フレーム側から下方向の力が加わったときや、シグナルグラウンド側から上方向の力が加わったときに、第１接続部材が直方体形状の場合よりも、第１接続部材が水平方向に変形する度合いを小さくすることができる。
【００２１】
また、前記第１接続部材では、前記各側面のうち、前記四角錐台が前記シグナルグラウンド上に配置されたときに前記電子部品側となる側面である、電子部品側側面には、前記導電性布が貼り付けられていてもよい。
【００２２】
この構成によると、四角錐台がシグナルグラウンド上に配置されたときに電子部品側となる側面である、電子部品側側面には、導電性布が貼り付けられている。
【００２３】
先述したように、四角錐台は、その上下方向から力が加わったときに、直方体形状よりも変形する度合いが小さい。よって、電子部品側の側面に導電性布が貼り付けられていても、四角錐台に上下方向から力が加わったときに、導電性布が電子部品と接触しにくい。その結果、電子部品側の側面に導電性布があっても、電子部品をショートさせにくくすることができる。
【００２４】
また、前記電子部品側側面の全面に、前記導電性布が貼り付けられていてもよい。
【００２５】
この構成によると、第１接続部材では、電子部品側となる側面である電子部品側側面の全面に導電性布が設けられている。そのため、第１接続部材の製造時には、立方体状の絶縁体の表面を１周するように導電性布を貼り付け、その後、四角錐台状となるように絶縁体をカッティングすればよいので、製造性を向上させることができる。
【００２６】
また、前記電子部品側側面のうち両端を除く部分に、前記導電性布が貼り付けられていてもよい。
【００２７】
この構成によると、第１接続部材では、電子部品側の側面のうち両端を除く部分に導電性布が設けられているので、電子部品側の側面にも電子部品が接触してもよい部分ができる。その結果、もし、電子部品側の側面に電子部品が接触しても、接触部分が接触してもよい部分ならば電子部品がショートしない。
【００２８】
よって、より、内部の電子部品をショートさせにくくすることができる。
【００２９】
また、電子部品側側面には、前記四角錐台の上面と前記電子部品側側面との間の辺の長さと同じ幅の前記導電性布が貼り付けられていてもよい。
【００３０】
この構成によると、電子部品側側面には、四角錐台の上面と電子部品側側面との間の辺の長さと同じ幅の導電性布が設けられている。そのため、第１接続部材の製造時には、四角錐台の絶縁体の上面から、側面及び底面を通過し、もう１つの側面にかけて周回するように導電体布を貼り付ければ、第１接続部材が完成する。その結果、第１接続部材の製造性を向上させることができる。
【００３１】
また、前記第１接続部材は、当該第１接続部材の底面が前記シグナルグラウンドと接触する一方で、当該第１接続部材の頂部が前記フレームと接触するように配置されていてもよい。
【００３２】
この構成によると、第１接続部材の底面がシグナルグラウンドと接触する一方で、第１接続部材の頂部がフレームと接触するように配置されているので、第１接続部材を安定してシグナルグラウンドに配置することができる。
【００３３】
また、本発明の他の構成に係る電子機器は、フレームと、シグナルグラウンドが設けられ、当該シグナルグラウンドに近接して電子部品が実装された回路基板と、四角錐台状の導電性を有する第１接続部材であって、前記シグナルグラウンド上に配置される第１接続部材と、前記第１接続部材の上面に載置され、導電性を有する第２接続部材と、を備え、前記第１接続部材及び前記第２接続部材は、前記シグナルグラウンドと前記フレームとを電気的に接続する。
【００３４】
この構成によると、設置され、導電性を有する四角錐台の上面には、導電性を有する、直方体形状の第２接続部材が載置されており、両者がフレームとシグナルグラウンドとを電気的に接続している。
【００３５】
これにより、第１接続部材及び第２接続部材に対し、上下方向から力が加わっても、四角錐台である第１接続部材が変形することによりその力を吸収する。そして、第１接続部材は四角錐台であるので、第２接続部材に押されても、その変形度合いを小さくすることができる。その結果、内部の電子部品をショートしにくくすることができる。
【００３６】
また、前記第１接続部材は、弾性を有していてもよい。
【００３７】
この構成によると、第１接続部材は弾性を有するので、第１接続部材がフレームとシグナルグラウンドとにしっかりと接触する。その結果、第１接続部材による静電気対策及び電磁放電対策をよりしっかりと行うことができる。
【００３８】
また、前記第１接続部材及び前記第２接続部材は弾性を有しており、前記第１接続部材の弾性率は、前記第２接続部材の弾性率よりも小さくてもよい。
【００３９】
この構成によると、第１接続部材の弾性率は、第２接続部材の弾性率よりも小さいので、第１接続部材及び第２接続部材に対して上下方向から力が加わったとき、第１接続部材は、当該第１接続部材に第２接続部材が沈み込むことを可能とするクッション材としての働きをする。その結果、第１接続部材が変形しにくくなるので、内部の電子部品をよりショートしにくくすることができる。
【００４０】
また、本発明の他の態様に係る表示装置は、請求項１〜１０のいずれか１項に記載の電子機器と、表示パネルと、を備え、前記フレームは、前記表示パネルの外枠に沿って設けられ、当該表示パネルの前記外枠を保護するベゼルである。
【００４１】
この構成によると、先述の電子機器を備えるので、先述の効果を奏する表示装置を提供することができる。
【００４２】
また、前記表示パネルは液晶パネルであってもよい。
【００４３】
この構成によると、表示パネルは液晶パネルであるので、先述の効果を奏する液晶ディスプレイ装置を提供することができる。
【発明の効果】
【００４４】
本発明によると、上下方向から力が加わっても、内部の電子部品がショートしにくい電子機器を提供することができる。
【図面の簡単な説明】
【００４５】
【図１】本発明の一実施形態に係る液晶ディスプレイ装置の外観の一例を示した正面図である。
【図２】図１の液晶ディスプレイ装置を分解した状態を表す分解斜視図である。
【図３】図１のＡ−Ａ線断面図である。
【図４Ａ】ガスケットの外観の一例を表す外観図である。
【図４Ｂ】ガスケットの表面を展開した表面展開図である。
【図４Ｃ】ガスケットの製造方法の他の例を説明するための表面展開図である。
【図５Ａ】従来のガスケットを手前方向側から見た側面図を表している。
【図５Ｂ】本発明の液晶ディスプレイ装置におけるガスケットを手前方向側から見た側面図を表している。
【図６Ａ】ガスケットの他の例を表す斜視図である。
【図６Ｂ】図６Ａのガスケットの表面を展開した表面展開図である。
【図７】ガスケットのさらに他の例を表す斜視図である。
【図８】液晶ディスプレイ装置の正面図である。
【図９】図８のＢ−Ｂ線断面図である。
【図１０Ａ】従来のガスケットの外観を表す外観図である。
【図１０Ｂ】従来のガスケットの表面を展開した表面展開図である。
【発明を実施するための形態】
【００４６】
以下、本発明の実施の形態について、図面を用いて詳細に説明する。なお、本実施の形態では、本発明の実施の形態に係る電子機器として、表示装置である液晶ディスプレイ装置を例示しているが、この例には限られず、静電気放電や電磁妨害への対策が求められる装置であれば、何を用いてもよい。
【００４７】
また、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００４８】
（実施の形態１）
＜液晶ディスプレイ装置の構成＞
図１は、本発明の一実施形態に係る液晶ディスプレイ装置の外観の一例を示した正面図である。図２は、図１の液晶ディスプレイ装置を分解した状態を表す分解斜視図である。なお、図１及び図２において、Ｘ軸は、液晶ディスプレイ装置の右方向を表し、Ｙ軸は、液晶ディスプレイ装置の奥行き方向を表し、Ｚ軸は、液晶ディスプレイ装置の上方向を表している。
【００４９】
図２に示すように、液晶ディスプレイ装置１０は、フロントキャビネット１１と、複数のベゼル（フレーム）１２と、液晶パネル（表示パネル）１３と、モールドフレーム１４と、光学板１５と、反射シート１６と、放熱板としての機能を有するリアフレーム１７と、を備える。
【００５０】
フロントキャビネット１１は、液晶ディスプレイ装置１０の前方側に配置される枠状の構成部材である。ベゼル１２は、液晶パネル（表示パネル）１３の外枠を保護し当該外枠に沿って設けられる構成部材である。液晶パネル１３は、外部からの送信されてきた映像信号に基づいて画像を表示する構成部材である。モールドフレーム１４は、液晶パネル１３を背面側から指示する構成部材である。光学板１５は、拡散板や導光板等、複数の部材からなり、反射シート１６で反射された、ＬＥＤ（不図示）からの照射光を加工する構成部材である。
【００５１】
反射シート１６は、当該反射シート１６の表面に配置されたＬＥＤからの照射光を手前方向に向けて反射させる構成部材である。リアフレーム１７は、放熱板としての機能を有する構成要素である。
【００５２】
＜液晶ディスプレイの主要部分の構成＞
図３は、図１のＡ−Ａ線断面図である。このＡ−Ａ線断面図で表される部分は、基本的には、従来の液晶ディスプレイ装置１０００のＢ−Ｂ線断面図で表される部分と同じである。
【００５３】
すなわち、図３に示すように、液晶ディスプレイ装置１０では、ベゼル１１と、モールドフレーム１４と、リアフレーム１７とはネジ５によって接合されている。
【００５４】
ベゼル１１とリアフレーム１７との間にはモールドフレーム１４が配置されている。モールドフレーム１４は、液晶パネル１３を支持する。
【００５５】
モールドフレーム１４の上には、回路基板４が配置されている。この回路基板４には、液晶パネル１３を作動させるための電子部品２が実装されている。液晶パネル１３からは、液晶パネル１３のドライバとしての機能を有するＣＯＦ（Chip On Film）３が導出されており、当該ＣＯＦ３は回路基板４の導体に接続される。
【００５６】
そして、電子装置１０の静電気対策及び電磁放電対策のため、リアフレーム１７が接地されており、回路基板４のシグナルグラウンドとベゼル１１との間に、ガスケット１００に代えて四角錐台（錐体）状のガスケット（第１接続部材）１が挟まれている。
【００５７】
これにより、リアフレーム１７、ネジ５、ベゼル１１、及び、回路基板４のシグナルグラウンドがゼロ電位となるので、液晶ディスプレイ装置１０を静電気放電や電磁放電から守ることができる。
【００５８】
ガスケット１は、ガスケット１の底面６０（図４Ｂ参照）がシグナルグラウンドと接触し、ガスケット１の上面（頂部）６１（図４Ｂ参照）がベゼル１１と接触している。これにより、回路基板４のシグナルグラウンドとベゼル１１とが電気的に接続される。
【００５９】
＜ガスケット１の構成＞
図４Ａはガスケット１の外観の一例を表す外観図である。図４Ｂはガスケット１の表面を展開した表面展開図である。
【００６０】
図４Ａに示すように、ガスケット１は四角錐台形状をしている。このようなガスケット１を製造するには、作業者は、四角錐台形状の絶縁体６に、その底面６０と、上面６１と、側面６２Ａ及び６２Ｃと、を覆うように、導電性布２を巻きつけて貼り付ける（図４Ｂ参照）。なお、図４Ｂにおいてハッチングが施された部分は、導電性布２が貼り付けられた部分を表す。これにより、ガスケット１が完成する。
【００６１】
なお、本実施の形態では、ガスケット１は、四角錐台形状の絶縁体６に導電性布２０を巻きつけて構成しているが、本発明ではこの例には限られず、図４Ｃに示すように、立方体形状の絶縁体６Ａの表面のうち、底面６０と、上面６１と、側面６２Ａ及び６２Ｃとを覆うように導電性布２０を巻きつけ、その後、四角錐台となるように、上面６１から底面６０にかけて斜めにカッティングしてもよい。なお、図４Ｃは、ガスケット１の製造方法の他の例を説明するための表面展開図である。また、図４Ｃにおいてハッチングが施された部分は、導電性布２が貼り付けられた部分を表す。
【００６２】
このように、立方体上の絶縁体６Ａの表面を１周するように導電性布２０を貼り付けることによりガスケット１を作成するようにすれば、その後、四角錐台状となるようにカッティングするだけでガスケット１が完成するので、製造性が向上する。
【００６３】
ガスケット１は、側面６２Ａが、液晶ディスプレイ装置１０の奥行き方向を向き、側面６２Ｃが、液晶ディスプレイ装置１０の手前方向を向くように回路基板４に配置される。これにより、側面６２Ｃが電子部品２と対向する。以降、側面６２Ｃを電子部品２側の側面である電子部品側側面という。
【００６４】
＜効果＞
図５Ａは、従来のガスケット１００を手前方向側から見た側面図を表している。図５Ｂは、本発明の液晶ディスプレイ装置１０におけるガスケット１を手前方向側から見た側面図を表している。なお、図５Ａ及び図５Ｂにおいて、力が加えられる前のガスケット１及び１００の形状を破線で表している。
【００６５】
本発明者が、ガスケット１００とガスケット１とを用いて、両者のそれぞれを上方向から力を加える実験を行ったところ、従来のガスケット１００は、図５Ａに示すように、左右それぞれの方向に向けて、距離ｄ１だけ変形した。この距離ｄ１は、ガスケット１００のもともとの高さをｈ１とした場合、およそｈ１×（４／１０）であった。
【００６６】
一方で、ガスケット１は、図５Ｂに示すように、左右それぞれの方向に向けて、距離ｄ２だけ変形した。この距離ｄ２は、ガスケット１のもともとの高さをｈ１とした場合、およそｈ１×（３／４０）であった。
【００６７】
つまり、ガスケット１を用いた場合、ガスケット１００を用いた場合と比べて、左右それぞれの方向への変形度合いが、およそ、｛ｈ１×（３／４０）｝÷｛ｈ１×（４／１０）｝＝０．１８７５（倍）、つまり、およそ１／５となる。
【００６８】
このように、ガスケット１を直方体形状ではなく三角垂台形状とすることにより、上方向からの力に対して、左右それぞれの方向への変形度合いが小さくなる。
【００６９】
これにより、ガスケット１に上下方向から力がかかっても、ガスケット１が直方体形状の場合よりも、ガスケット１が水平方向に変形する度合いを小さくすることができる。その結果、ガスケット１と、ガスケット１の近くの電子部品２とが接触することを抑制することができる。
【００７０】
よって、上下方向から力が加わっても、内部の電子部品２をショートしにくくすることができる。
【００７１】
また、四角錐台形状の絶縁体に導電性布を貼り付けることによりガスケット１が製造できるので、製造性を向上させることができる。
【００７２】
なお、ガスケット１は、当該ガスケット１の内部から外方に向かう弾性を有していてもよい。こうすれば、ガスケット１がその弾性力により、ベゼル１１とシグナルグラウンドとにしっかりと接触する。その結果、ガスケット１による静電気対策及び電磁放電対策をよりしっかりと行うことができる。
【００７３】
以上のように、本発明の実施の形態１に係る液晶ディスプレイ装置によると、四角錐台状の絶縁体６に導電性布２０が貼り付けられたガスケット１が、回路基板４のシグナルグラウンドとフレーム１１との間に介在して、両者を電気的に接続している。
【００７４】
これにより、ガスケット１に上下方向から力がかかっても、ガスケット１が直方体形状の場合よりも、ガスケット１が水平方向に変形する度合いを小さくすることができる。その結果、ガスケット１と、ガスケット１の近くの電子部品２とが接触することを抑制することができる。
【００７５】
（実施の形態２）
＜ガスケットの構成＞
図６Ａはガスケットの他の例を表す斜視図である。図６Ｂは、図６Ａのガスケットの表面を展開した表面展開図である。なお、図６Ａ及び図６Ｂにおいて、図４Ａ及び図４Ｂと同一の構成要素については、同一符号を付して説明を省略する。
【００７６】
ガスケット１Ａでは、四角錐台形状の絶縁体６において、底面６０と、上面６１と、側面６２Ａ及び６２Ｃとに、導電性布２０が貼り付けられている。なお、図６Ｂにおいてハッチングが施された部分は、導電性布２が貼り付けられた部分を表す。
【００７７】
そして、この導電性布２０の幅ｈ２は、図６Ｂに示すように、上面６１と側面６２Ｃとの間の辺６３の長さと同じである。
【００７８】
これにより、側面６２Ａには、導電性布２０が貼り付けられていない絶縁部分６２Ａ（１）及び６２Ａ（２）が出現する。また、側面６２Ｃにも、絶縁部分６２Ｃ（１）及び６２Ｃ（２）が出現する。
【００７９】
＜効果＞
以上のように、電子部品側側面である側面６２Ｃには、上面６１と側面６２Ｃとの間の辺６３の長さと同じ幅ｈ２の導電性布２０が貼り付けられている。
【００８０】
そのため、電子部品側の側面６２Ｃにおいて、絶縁部分６２Ｃ（１）及び６２Ｃ（２）が出現するので、側面６２Ｃにも電子部品２が接触してもよい部分ができる。その結果、もし、電子部品側の側面６２Ｃに電子部品２が接触しても、接触部分が接触してもよい絶縁部分６２Ｃ（１）及び６２Ｃ（２）ならば電子部品２がショートしない。
【００８１】
よって、ガスケット１Ａが電子部品２側へ変形したときに、内部の電子部品２を、よりショートさせにくくすることができる。
【００８２】
また、四角錐台の絶縁体６の上面６１から、側面６２Ａ及び底面６０を通過し、もう１つの側面６２Ｃにかけて周回するように導電体布２を貼り付ければ、ガスケット１Ａが完成するので、ガスケット１Ａの製造性を向上させることができる。
【００８３】
なお、ガスケット１Ａは、当該ガスケット１Ａの内部から外方に向かう弾性を有していてもよい。こうすれば、ガスケット１Ａがその弾性力により、ベゼル１１とシグナルグラウンドとにしっかりと接触する。その結果、ガスケット１Ａによる静電気対策及び電磁放電対策をよりしっかりと行うことができる。
【００８４】
（実施の形態３）
＜ガスケットの構成＞
図７はガスケットのさらに他の例を表す斜視図である。ガスケット１Ｂは、先述のガスケット１の上面６１上に、従来のガスケット（第２接続部材）１００を載置した構成とされている。なお、従来のガスケット１００の底面の面積は、ガスケット１Ｂの上面６１の面積よりも小さい。
【００８５】
＜効果＞
このように、ガスケット１の上面６１に、ガスケット１の上面６１よりも面積が小さな底面を持つガスケット１００を載置しているので、ガスケット１及びガスケット１００に対し、上下方向から力が加わっても、四角錐台であるガスケット１が変形することによりその力を吸収する。そして、ガスケット１は四角錐台であるので、ガスケット１００に押されても、その変形度合いを小さくすることができる。その結果、内部の電子部品２をショートしにくくすることができる。
【００８６】
なお、ガスケット１及びガスケット１００に、内側から外側へ向かう弾性を持たせてもよい。こうすれば、両者の弾性力により、ガスケット１及びガスケット１００が、ぴったりと、ベゼル１１と回路基板４のシグナルグラウンドとに接触する。その結果、ガスケット１及びガスケット１００による静電気対策及び電磁放電対策をよりしっかりと行うことができる。
【００８７】
また、ガスケット１の弾性をガスケット１００の弾性よりも大きくしてもよい。こうすれば、ガスケット１及びガスケット１００に対して上下方向から力が加わったとき、ガスケット１は、ガスケット１にガスケット１００が沈み込むことを可能とするクッション材としての働きをする。その結果、ガスケット１が変形しにくくなるので、内部の電子部品２をよりショートしにくくすることができる。
【００８８】
以上、本発明について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００８９】
本発明は、例えば、テレビジョンなど、静電気対策や電磁放電対策が求められる機器に適用できる。
【符号の説明】
【００９０】
１、１００、１Ａ、１Ｂ  ガスケット
２  電子部品
４  回路基板
６  絶縁体
６０  底面
６１  上面
６２Ａ、６２Ｂ、６２Ｄ  側面
６２Ｃ  電子部品側側面
６２Ｃ（１）、６２Ｃ（２）  電子部品側側面における絶縁部分
６３  辺
１０  液晶ディスプレイ装置
１２  ベゼル
１３  液晶パネル
２０  導電性布
ｈ２  導電性布の幅
【図１】
2014220432.tif 000003
【図２】
2014220432.tif 000004
【図３】
2014220432.tif 000005
【図４Ａ】
2014220432.tif 000006
【図４Ｂ】
2014220432.tif 000007
【図４Ｃ】
2014220432.tif 000008
【図５Ａ】
2014220432.tif 000009
【図５Ｂ】
2014220432.tif 000010
【図６Ａ】
2014220432.tif 000011
【図６Ｂ】
2014220432.tif 000012
【図７】
2014220432.tif 000013
【図８】
2014220432.tif 000014
【図９】
2014220432.tif 000015
【図１０Ａ】
2014220432.tif 000016
【図１０Ｂ】
2014220432.tif 000017